(57)【要約】【課題】光ファイバー織物から、光ファイバーを取り出すことが容易にでき、多種、多色の光源を指定された領域に、指定した種類や配色で自由に組み合わせ、多種、多色で複雑な発光表現のできる光ファイバー織物とその製造方法を提供すること。【解決手段】光ファイバーである第１繊維と光ファイバーでない第２繊維とが織られた第１領域と、上記第１領域に隣接し、上記第１繊維が織られていない第２領域と、上記２領域と隣接し、上記第１繊維と光源が接続された第３領域と、を含む織物を用いる。【選択図】図１
2019108648.tif 000002
【特許請求の範囲】
【請求項１】
光ファイバーである第１繊維と光ファイバーでない第２繊維とが織られ、光を放出する第１領域と、
前記第１領域に隣接し、前記第１繊維が織られていない第２領域と、
前記第２領域と隣接し、前記第１繊維と光源が接続された第３領域と、を含む織物。
【請求項２】
前記光源は複数あり、発光色が異なる光源である請求項１記載の織物。
【請求項３】
前記第２繊維も光ファイバーである請求項１または２記載の織物。
【請求項４】
複数の第１繊維は、配列され、前記配列の順に、前記異なる光源に接続されている請求項２または３記載の織物。
【請求項５】
前記第１領域で、２本の前記第２繊維は、前記第１繊維と交差後、両者の位置を交換するカラミ織りである請求項１〜４のいずれか１項に記載の織物。
【請求項６】
前記第１領域と前記第２領域と前記第３領域とは、２層構造で、
表部の層は、前記第１繊維と前記第２繊維とを含む層であり、
裏部の層は、前記第１繊維を含まない層である請求項１〜５のいずれか１項に記載の織物。
【請求項７】
前記第２繊維と第３繊維とが織られた第１層と、
前記第２繊維と第３繊維とが織られた第２層と、
前記第１層と前記第２層間に位置する前記第１繊維と、を含む請求項１〜６のいずれか１項に記載の織物。
【請求項８】
さらに、前記第１繊維を固定する固定領域を有する請求項１〜７のいずれか１項に記載の織物。
【請求項９】
前記固定領域では、前記第１繊維は、前記第２繊維の３本の裏部に位置し、１本の表部に位置する周期を繰り返えす領域である請求項８に記載の織物。
【請求項１０】
前記第１領域では、前記第１繊維が前記第２繊維の１２本または１３本の表部に位置し、１本の裏部に位置することを繰り返す請求項１〜９のいずれか１項に記載の織物。
【請求項１１】
前記第２領域は、前記第１繊維が、前記第１層と前記第２層とで挟まれている領域である請求項１〜１０のいずれか１項に記載の織物。
【請求項１２】
前記第１繊維が織られていない第１０領域が、前記第１領域内、または、外周部分に位置する請求項１〜１１のいずれか１項に記載の織物。
【発明の詳細な説明】
【技術分野】
【０００１】
本発明は、織物に関する。特に、光ファイバーが織物の一部に入った織物に関する。
【背景技術】
【０００２】
従来、光ファイバーを織物の一部に入れ込んだ織物が考えられている。例えば、特許文献１では、光ファイバーを織物の一部に入れ込んだ織物を開示している。光ファイバーを光源と接続し、光ファイバーから光を放出している。結果、この織物は、鮮やかな織物となる。
【先行技術文献】
【特許文献】
【０００３】
【特許文献１】特開２０１０−２６７５７３号公報
【発明の概要】
【発明が解決しようとする課題】
【０００４】
しかし、特許文献１の織物では、光ファイバーと光源との接続方法の開示がない。どうやって、織物から光ファイバーを取り出して、光源と接続させるか不明である。
本発明はかかる問題に鑑みてなされたものであり、光ファイバー織物から、光ファイバーを取り出すことが容易にでき、多種、多色の光源を指定された領域に指定した種類や配色で自由に組み合わせ、多種、多色で複雑な発光表現のできる光ファイバー織物とその製造方法を提供することを目的とする。
【課題を解決するための手段】
【０００５】
上記課題を解決するために、光ファイバーである第１繊維と光ファイバーでない第２繊維とが織られた第１領域と、上記第１領域に隣接し、上記第１繊維が織られていない第２領域と、上記２領域と隣接し、上記第１繊維と光源が接続された第３領域と、を含む織物を用いる。
【発明の効果】
【０００６】
本発明によれば、織物中で光ファイバーの位置を固定できる。
【図面の簡単な説明】
【０００７】
【図１】（ａ）実施の形態１の織物１００の平面図、（ｂ）織物１００の第１繊維１１に平行方向の断面図、（ｃ）織物１００の拡大断面図
【図２】実施の形態２の織物２００の平面図
【図３】（ａ）実施の形態３の織物３００の平面図、（ｂ）織物３００の第１繊維１１に平行方向の断面図、（ｃ）織物３００の拡大断面図
【図４】（ａ）実施の形態４の織物４００の平面図、（ｂ）織物４００の第１繊維１１に平行方向の断面図、（ｃ）織物４００の拡大断面図
【図５】実施の形態５の織物５００の平面図
【図６】実施の形態６の織物６００の平面図
【図７】実施の形態６の織物６００の平面図
【図８】（ａ）実施の形態６の袋領域５２ａの側面斜視図、（ｂ）実施の形態６の袋領域５２ａの側面摸式図
【図９】（ａ）実施の形態６の３色放出領域５２ｉの側面斜視図、（ｂ）実施の形態６の３色放出領域５２ｉの側面摸式図、（ｃ）実施の形態６の織物６００の３色放出領域５２ｉの平面摸式図
【図１０】（ａ）実施の形態６の黄青放出領域５２ｈの側面斜視図、（ｂ）実施の形態６の黄青放出領域５２ｈの側面摸式図
【図１１】（ａ）実施の形態６の第９領域５９ｂの平面図、（ｂ）実施の形態６の第９領域５９ｂの側面摸式図、（ｃ）実施の形態６の第９領域５９ｂの側面斜視図
【図１２】（ａ）〜（ｂ）実施の形態７の織物７００の平面図
【図１３】実施の形態７の織物７００の平面図
【発明を実施するための形態】
【０００８】
以下の実施の形態にて、本願発明を説明する。１つの例示であり、以下の実施の形態に、本願発明は限定されない。
（実施の形態１）
図１（ａ）は、実施の形態１の織物１００の平面図である。図１（ｂ）は、実施の形態１の織物１００の第１繊維１１が表部である部分の断面図である。図１（ｂ）は、実施の形態１の織物１００の第４繊維１４が裏部の部分の断面図である。
【０００９】
織物１００は、第１領域５１〜第６領域５６までを有する。
第１領域５１は、第１繊維１１、第４繊維１４と第２繊維１２とが、緯糸（横糸）、経糸（縦糸）として織られている。
第２領域５２は、第１繊維１１が、単独で存在する領域である。第１繊維１１は、固定されていないのが好ましい。第２領域５２の部分が折り返され、織物１００が、自動車などに実装されることが可能である。なお、第１繊維１１の上層に別の繊維、第４繊維１４などが保護のために存在するのが好ましい。
【００１０】
第３領域５３は、第１繊維１１と光源２０とが接続される領域である。第１繊維１１は、第２領域５２部分において遊び（自由度）がある。
第４領域５４、第５領域５５、第６領域５６は、光源２０ごとに区分けされた領域である。
【００１１】
第７領域５７は、織物１００の表面層である。
第８領域５８は、織物１００の裏面層、または、内部層である。
ここで、第１繊維１１は、光ファイバーである。光ファイバーとしては、製織性の観点から、樹脂製であることが好ましい。具体的には、（１）全反射されない屈折率の相関とされたコアとクラッドとを組合せた光ファイバーや（２）コア材に光散乱物質を配合した光ファイバーなどを利用できる。
【００１２】
即ち、上記（１）は、コア内を導光される光がクラッドとの間で全反射されず、漏光される現象を利用した側面発光型の光ファイバーである。一方、上記（２）は、散乱物質の配合により、コアとクラッドとの界面で光が全反射せず、光ファイバーの側面から散乱光が漏れ出る構造となった側面発光型の光ファイバーである。
【００１３】
このような光ファイバーでは、コア材に配合する光散乱物質の濃度の調整により側面発光輝度をコントロールできる。更には、これら以外の構成による側面発光型の光ファイバーであってもよい。これらの側面発光型の光ファイバーは、１種のみを用いてもよく２種以上を併用してもよい。
【００１４】
光ファイバーの直径は特に限定されないが、製織性を好適に得る観点から、例えば、０、０１ｍｍ以上２．０ｍｍ以下とすることができ、０．０５ｍｍ以上１．５ｍｍ以下が好ましく、０．１ｍｍ以上１．０ｍｍ以下がより好ましい。
また、第１繊維１１のすべてが光ファイバーである必要はない、その割合は限定されないが、通常、１０％以上であり、１０％以上９０％以下が好ましく、２０％以上８０％以下がより好ましく、３０％以上７０％以下が更に好ましい。
【００１５】
第１繊維１１は、一部、以下の非導光糸でもよい。以下の実施の形態の光ファイバーも上記と同様である。
第２繊維１２、第４繊維１４は、非導電性繊維で、非導光糸である。光ファイバーのような導光特性を有さない糸である。第２繊維１２、第４繊維１４を構成する材料は限定されず、天然繊維であってもよいし、合成繊維であってもよい。合成繊維である場合、その構成樹脂としては、ナイロン６、ナイロン６６等のポリアミド系樹脂、ポリエチレンテレフタレート、ポリブチレンテレフタレート、ポリトリメチレンテレフタレート等のポリエステル系樹脂、ポリプロピレン等のポリオレフィン系樹脂、ポリアクリル系樹脂等が挙げられる。これらは１種のみを用いてもよく２種以上を併用してもよい。
【００１６】
第２繊維１２、第４繊維１４の繊度は特に限定されないが、例えば、１０ｄｔｅｘ以上５０００ｄｔｅｘ以下とすることができ、２０ｄｔｅｘ以上４０００ｄｔｅｘ以下が好ましく、３０ｄｔｅｘ以上３０００ｄｔｅｘ以下がより好ましい。
但し、第１繊維１１の光ファイバーの繊度（直径）は、第４繊維１４よりも小さい方が好ましい。
【００１７】
第２繊維１２、第４繊維１４は、透光阻害成分を含まなくてもよいが、透光阻害成分を含むことができる。第２繊維１２、第４繊維１４が、透光阻害成分を含む場合は、光ファイバーに対する遮光性を向上させることができる。
透光阻害成分は、透光を阻害できる成分であればよく、例えば、反射・分散により透光阻害してもよく、吸光により透光阻害してもよく、その他の作用により透光阻害してもよい。具体的には、着色剤（顔料、染料等）、吸光剤、増量剤（各種フィラー類等）等が挙げられる。これらは１種のみを用いてもよく２種以上を併用してもよい。このうち、例えば、顔料としては、アゾ系、フタロシアニン系、ペリノン系、ペリレン系、アンスラキノン系等の有機顔料、及び、カーボンブラック、群青、ベンガラ、酸化チタン、酸化鉄等の無機顔料を挙げることができる。これらは１種のみを用いてもよく２種以上を併用してもよい。また、染料としては、アンスラキノン系、ペリノン系、ペリレン系、アゾ系、メチン系、キノリン系等の染料を挙げることができる。これらのなかでは、より濃色な染料が好ましく、黒色系染料が特に好ましい。これらは１種のみを用いてもよく２種以上を併用してもよい。
【００１８】
以下の実施の形態の光ファイバーでない繊維は、上記の光ファイバーでない繊維と同様である。
光源２０は、ＬＥＤなどの光源である。ここで、図１（ａ）では、３つのＬＥＤを使用できる。３つのＬＥＤを、赤色、緑色、青色の３原色とすれば、第４領域５４、第５領域５５、第６領域５６ごとで異なる色となり、カラフルな織物１００となる。
【００１９】
なお、光源２０は、それぞれ、電源、制御部（半導体素子）に接続され、個別に制御される。
（実施の形態２）
図２は、織物１００の変形例の織物２００を説明する平面図である。
【００２０】
図２は、図１（ａ）に相当する図である。図１（ａ）との相違点は、第２領域５２において、第１繊維１１（光ファイバー）との接続関係が異なる点である。説明しない事項は、実施の形態１と同様である。
織物２００では、第１繊維１１である光ファイバーと光源２０との接続が、実施の形態１と異なる。織物２００では、第１繊維１１の配置の順番と、接続される光源２０との組み合わせが、織物１００と異なる。この場合、３種類の光源２０と、第１繊維１１とが、配列の順番に交互に、別の光源２０に接続される。
【００２１】
結果、実施の形態１よりさらに、細かな色彩を表現できる。
（実施の形態３）
図３（ａ）〜図３（ｃ）は、織物１００の変形例の織物３００を説明する平面図である。
【００２２】
図３（ａ）は、織物３００の拡大平面図である。図３（ｂ）は、織物３００の断面図である。図３（ｃ）は、織物３００の拡大断面図である。
実施の形態３の織物３００は、第１領域５１が上記実施の形態と異なる。その他は、実施の形態１、２と同様であり、略している。
【００２３】
第１繊維１１は、緯糸（横糸）であり、光ファイバーである。第２繊維１２ａ、１２ｂは、経糸（縦糸）であり、光ファイバー以外の繊維である。
第１繊維１１と第２繊維１２ａ、１２ｂとは交差する。第２繊維１２ａは、第１交差点３１で、第１繊維１１の表部を通過後、次の第２交差点３２で第１繊維１１の裏部を通過する。第２繊維１２ｂは、各交差点で第２繊維１２ａの逆に、第１繊維１１の裏部、表部を通過する。第２繊維１２ａと第２繊維１２ｂでは、各交差点での上記表部、裏部の通過が逆である。
【００２４】
第１繊維１１の光ファイバーは、第２繊維１２ａ、１２ｂにより上下より垂直方向に逆の力を受け固定される。光ファイバーを織物３００中でその位置を固定できる。
（実施の形態４）
図４（ａ）〜図４（ｃ）は、織物１００の変形例の織物４００を説明する平面図である。
【００２５】
図４（ａ）は、実施の形態４の織物４００の平面図である。織物４００は、第１繊維１１と第２繊維１２ａ、１２ｂとを含む。説明しない事項は、実施の形態１〜３と同様である。この実施の形態では、第１領域５１が上記実施の形態と異なる。
第１繊維１１は、光ファイバーである、第２繊維１２ａ、１２ｂは、光ファイバー以外の繊維である。なお、第１繊維１１と第２繊維１２ａ、１２ｂとは、経糸（縦糸）と緯糸（横糸）の関係でもよい。
【００２６】
第１繊維１１と第２繊維１２ａ、１２ｂとは交差する。第２繊維１２ａ、１２ｂは、第１交差点３１で、第１繊維１１の裏部と表部とをそれぞれ通過する。その後、次の第２交差点３２までの間に両者の位置が左右入れ替わる。その後、第２繊維１２ａ、１２ｂは、第２交差点３２の裏部、表部をそれぞれ通過する。
【００２７】
図４（ｂ）は、織物４００の第１繊維１１に平行方向の断面図である。図４（ｃ）は、織物４００の拡大断面図である。
第１繊維１１の光ファイバーは、第２繊維１２ａ、１２ｂにより斜め上下より力を受ける。力の方向は一致する方向である。結果、図３（ａ）〜図３（ｃ）と比較すると、光ファイバーの屈曲はより小さい。光ファイバーは、大きく屈曲しないので導光性がよく均一に光を放出する。
なお、図４（ａ）〜図４（ｃ）の織り方は、カラミ織りである。
【００２８】
（実施の形態５）
図５は、実施の形態５の織物５００の平面図である。図５は、図１（ａ）の織物１００の変形例の織物５００の平面図である。記載しない事項は、上記実施の形態と同様である。
【００２９】
図５は、図１（ａ）と異なり、第２繊維１２も光ファイバーを用いている。記載しない事項は、上記実施の形態と同様である。図示しないが、下方にも、第２領域５２、第３領域５３がある。同様に、図示しないが、左右方向にも、第４領域５４、第５領域５５、第６領域５６がある。
【００３０】
織物５００では、縦横方向で光を発することができる。いろいろな色彩の光の画像が表現できる。
（実施の形態６）
図６は、実施の形態６の織物６００の平面図である。図６は、織物６００の平面模式図である。
【００３１】
図６では、上方から見える繊維を１セル単位（正方形の単位マス）で表示している。
図７は、織物６００の平面図である。図７では、上方から見える繊維を立体的に表示している。記載しない事項は上記実施の形態と同様である。
【００３２】
第１領域５１と第２領域５２、第９領域５９とを有する。第３領域５３を示していないが、設けることが好ましい。
第１領域５１は、光ファイバーが光を表面へ放出する領域である。
【００３３】
第２領域５２は、袋領域５２ａを有する。第１繊維１１が、他の繊維に織られずに、単独で存在する領域である。第１繊維１１は、他の繊維で固定されていないのが好ましい。この領域は、また、この領域と繋がる第３領域５３（図示せず、図１）で、光ファイバーがＬＥＤなどの光源２０と接続される領域である。
【００３４】
第９領域５９は、光ファイバーを表面からはほとんど見えない状態で、固定する領域である。織物６００中で光ファイバーの位置を保持する。
織物６００は、第２領域５２の袋領域５２ａと、第９領域５９と、第１領域５１の、赤放出領域５２ｃ、黄放出領域５２ｄ、青放出領域５２ｅ、赤黄放出領域５２ｆ、赤青放出領域５２ｇ、黄青放出領域５２ｈ、３色放出領域５２ｉと、がある。なお、実施の形態１の第３領域５３（光源２０と繊維とが接続される領域）は、省略されている。全領域がある必要はない。第２領域５２の袋領域５２ａと、第９領域５９と、第１領域５１のいずれか１つ以上の領域とがあればよい。
【００３５】
袋領域５２ａは、実施の形態１の第２領域５２に相当し、光ファイバーの繊維を、他の繊維と分離した領域である。光源２０と光ファイバーとを接続する領域である。
赤放出領域５２ｃ〜３色放出領域５２ｉは、光を放出する領域である。それぞれ、赤、黄、青、赤黄、赤青、黄青、３色の光を放出する領域である。
【００３６】
第９領域５９は、光ファイバーを表面からほとんど見えない状態で、固定するための固定領域である。他の実施の形態の織物に第９領域５９（固定領域）を設けてもよい。
＜袋領域５２ａ＞
図８（ａ）は、袋領域５２ａの側面斜視図である。図８（ｂ）は、袋領域５２ａの模式側面図である。
【００３７】
経糸（縦糸）の第２繊維１２ａと、緯糸（横糸）の第３繊維１３ａとで第１層６１を形成し、経糸（縦糸）の第２繊維１２ａと、緯糸（横糸）の第３繊維１３ｂとで第２層６２を形成し、経糸（縦糸）の第２繊維１２ａと、緯糸（横糸）の第３繊維１３ｃとで第３層６３を形成し、経糸（縦糸）の第２繊維１２ａと、緯糸（横糸）の第３繊維１３ｄとで第４層６４を形成し、第１，２層間に、青繊維１０ｃを、第２，３層間に、黄繊維１０ｂを、第３，４層間に、赤繊維１０ａを配置している。
【００３８】
赤繊維１０ａ、黄繊維１０ｂ、青繊維１０ｃは、それぞれの色を発光する光ファイバーである。それ以外の繊維は、光ファイバーでない繊維である。なお、光の色は、赤、緑、青など３色ならよい。３色の合成でいろいろな色が発光できる。
袋領域５２ａでは、赤繊維１０ａ、黄繊維１０ｂ、青繊維１０ｃは、他の繊維と織られていないので、光源２０に接続しやすい。各３つの繊維を別々の層に分けている。
【００３９】
＜３色放出領域５２ｉ＞
図９（ａ）は、３色放出領域５２ｉの側面斜視図である。図９（ｂ）は、３色放出領域５２ｉの模式側面図である。図面の左側が表面である。図９（ｃ）は、３色放出領域５２ｉの模式平面図である。
【００４０】
第３繊維１３ｄと第２繊維１２ａとからなる下層の第２層６２がある。その上に、第２繊維１２ａからなる第１層６１がある。ただし、第１層６１と第２層６２とは、第３繊維１３ａ、第３繊維１３ｂ、第３繊維１３ｃとで連結されている。
さらに、第１層６１の上に赤繊維１０ａ、黄繊維１０ｂ、青繊維１０ｃが位置する。それぞれ第２繊維１２ａで第１層６１に連結されている。
【００４１】
この構造により、赤繊維１０ａ、黄繊維１０ｂ、青繊維１０ｃが表面に位置し、かつ、第２繊維１２ａのみで固定されるので、多くの光りを放出できる。
さらに、第１層６１と第２層６２とは、第３繊維１３ａ〜１３ｃで連結され、強度がある。また、第２層６２は、第２繊維１２ａと第３繊維１３ｄとでしっかりした土台を形成している。
【００４２】
赤繊維１０ａ、黄繊維１０ｂ、青繊維１０ｃは、図９（ｃ）からわかるように、第２繊維１２ａの１本が表部に位置し、赤繊維１０ａ、黄繊維１０ｂ、青繊維１０ｃが、１２本または１３本が表部にそれぞれ位置する。この周期を繰り返す。赤繊維１０ａ、黄繊維１０ｂ、青繊維１０ｃの多くの部分が、第２繊維１２ａより表面側に位置し、光を放出する。
【００４３】
この第２繊維１２ａの１本で、赤繊維１０ａ、黄繊維１０ｂ、青繊維１０ｃの各繊維を保持する。この表部の赤繊維１０ａ、黄繊維１０ｂ、青繊維１０ｃの周期の本数は、１２本または１３本である。本数を短くすると、光の放出割合が減り、かつ、赤繊維１０ａ、黄繊維１０ｂ、青繊維１０ｃの繊維の屈曲が増加し、光の導光性が悪くなり、発光効率がよくない。この表部の本数を増やすと、赤繊維１０ａ、黄繊維１０ｂ、青繊維１０ｃの織物への固定が不安定になる。結果、光ファイバーの露出部分が長くなり、外部からの損傷を受けやすくなる。
【００４４】
第２繊維１２ａが上方に位置する１本の場所は、各赤繊維１０ａ、黄繊維１０ｂ、青繊維１０ｃで徐々にずらすことで、デザイン性を向上させている。
なお、赤放出領域５２ｃ、黄放出領域５２ｄ、青放出領域５２ｅ、赤黄放出領域５２ｆ、赤青放出領域５２ｇ、黄青放出領域５２ｈでは、光を放出する光ファイバーが表面に多くでるように、第１層６１の表面に位置し、第２繊維１２ａで、その表面が覆われる。一方、光を放出しなくともよい光ファイバーは、第２層６２より表面で、第１層６１の裏面に位置する。
【００４５】
＜黄青放出領域５２ｈ＞
図１０（ａ）は、黄青放出領域５２ｈの側面図である。図１０（ｂ）は、黄青放出領域５２ｈの模式側面図である。図面の左側が表面である。
第３繊維１３ｄと第２繊維１２ａとからなる裏層の第２層６２がある。その上に、第２繊維１２ａからなる第１層６１がある。ただし、第１層６１と第２層６２とは、第３繊維１３ａ、第３繊維１３ｂ、第３繊維１３ｃとで連結されている。
【００４６】
さらに、第１層６１の上に黄繊維１０ｂ、青繊維１０ｃが位置する。それぞれ第２繊維１２ａで第１層６１に連結されている。また、第１層６１と第２層６２との間に、赤繊維１０ａが位置する。
この構造により、黄繊維１０ｂ、青繊維１０ｃが表面に位置し、かつ、第２繊維１２ａのみで固定されるので、多くの光りを放出できる。赤繊維１０ａは、表面にほとんど見えず、第１層６１と第２層６２との間で屈曲や圧迫を軽減し、導光性を維持してしっかりと保護される。
【００４７】
さらに、第１層６１と第２層６２とは、第３繊維１３ａ〜１３ｃで連結され、強度がある。また、第２層６２は、第２繊維１２ａと第３繊維１３ｄとでしっかりした土台を形成している。
＜第９領域５９（固定領域）＞
図１１（ａ）は、第９領域５９（固定領域）の平面図である。図１１（ｂ）は、第９領域５９（固定領域）の模式側面図である。図１１（ｃ）は、第９領域５９の側面の斜視図である。
【００４８】
第３繊維１３ａ〜１３ｄの４本間に、赤繊維１０ａ、黄繊維１０ｂ、青繊維１０ｃを配置している。経糸として、第２繊維１２ａがある。
第９領域５９（固定領域）では、赤繊維１０ａ、黄繊維１０ｂ、青繊維１０ｃは、同じ周期であり、第２繊維１２ａの表部に１本が出て、３本分は裏部に位置する。３本より少なくすると、赤繊維１０ａ、黄繊維１０ｂ、青繊維１０ｃの屈曲が増え、発光効率が悪くなる。３本より多くすると、赤繊維１０ａ、黄繊維１０ｂ、青繊維１０ｃの固定性が悪くなる。３本〜５本がよい。
【００４９】
＜実施の形態６の全体＞
第３繊維１３ａ〜１３ｄの４本間に、光ファイバーの赤繊維１０ａ、黄繊維１０ｂ、青繊維１０ｃを配置し、それぞれが厚み方向で位置を変えることで、第２領域５２（図８（ｂ））、第９領域５９ｂ（図１１（ｂ））、第１領域５１（図９（ｂ）、図１０（ｂ））を形成できる。第３繊維１３ａ〜１３ｄの内、１つの繊維は他の繊維より直径が大きいことが好ましい。このことで、繊維６００の強度、柔軟性も確保できる。
【００５０】
光放出領域は、２層、袋領域５２ａは４層、固定領域は１層の構造にすることで、赤繊維１０ａ、黄繊維１０ｂ、青繊維１０ｃをしっかり保持しつつ、光りを十分に放出でき、全体強度もある織物となる。
＜効果＞
織物６００は、３色でいろいろな色彩を発光できる。第９領域５９（固定領域）で、光ファイバーの屈曲や圧迫を軽減し、導光性を維持して固定できる。
（実施の形態７）
図１２（ａ）〜図１２（ｂ）は、織物１００の変形例の織物７００を説明する平面図である。説明しない事項は、上記の実施の形態と同様である。
図１２（ａ）で織物７００には、第１０領域６０が第１領域５１内に位置する。第１０領域６０は、第２領域５２と同様であり、光ファイバーである第１繊維１１が、表層の第４繊維１４、第２繊維１２と裏層の第４繊維１４、第２繊維１２とで袋状に織られた間に位置して、他の繊維で織られていず、単独で存在する領域である。第１繊維１１は、固定されていないのが好ましい。なお、第１繊維１１の表層、裏層に別の繊維、第４繊維１４などが保護のために存在するのが好ましい。
図１２（ｂ）は、図１２（ａ）の織物７００を、各種別の部品等を取付け、接続するための障害物６５を有する面に配置した平面図である。この時、第１繊維１１以外の繊維である表層の織物７００の第４繊維１４、第２繊維１２を切り取る。つまり、第１０領域の第１繊維１１以外の表層の織物６０ａを除く。第１繊維１１と表層、裏層の織物７００の第４繊維１４と第２繊維１２とは織られていないので、簡単に取り除ける。その結果、第１０領域６０では、光ファイバーである第１繊維１１が、他の繊維がないので、上下に移動し、障害物６５を回避できている。この第１０領域６０がないと、光ファイバーである第１繊維１１が切断されたり、圧迫を受けたりして、光が伝達されにくい。
なお、第１０領域６０の第１繊維１１以外の繊維である第４繊維１４、第２繊維１２の一部を残してもよい。
第１０領域６０は、第１領域５１の任意の場所に位置でき、第１領域５１の周辺または外周部分に位置してもよいし、複数個存在してもよい。ここで外周部分とは、第１領域５１の外周の辺の一部を含めた領域である。この場合、第１０領域６０の外周の少なくとも１辺は、第１領域５１で囲まれない。また、第１０領域６０は、障害物６５の形状と対応させ、相似形状に設計されるのが好ましい。
図１３は、図１２（ｂ）にさらに、補強部６６を設けた織物７００の平面図である。図１２（ｂ）では、障害物６５により第１繊維１１がその位置を曲げられている。そのため、第１０領域６０の周囲には、時間の経過とともに、位置が変化する可能性がある。そのため、障害物６５の周囲、または、第１０領域６０の内側の外周に、補強部６６を設けるのが好ましい。
補強部６６は、テープ、粘着剤、固定具などである。または、補強部６６として、別の繊維を、補強部６６の部分に余分に設けてもよい。つまり、補強部６６の領域は、他の領域より繊維密度を高くするとよい。
【００５１】
（全体として）
実施の形態は組み合わせることができる。
【産業上の利用可能性】
【００５２】
本願発明は、織物として広く利用される。自動車内のドア、天井の布、電車、飛行機などの壁、天井、イスの布などに用いられる。その他、建物、住宅、施設、ビルの壁用の布としても用いられる。
【符号の説明】
【００５３】
１０ａ  赤繊維
１０ｂ  黄繊維
１０ｃ  青繊維
１１  第１繊維
１２、１２ａ、１２ｂ  第２繊維
１３ａ〜１３ｄ  第３繊維
１４  第４繊維
１５  第５繊維
２０  光源
３１  第１交差点
３２  第２交差点
３３  第３交差点
３４  第４交差点
５１  第１領域
５２  第２領域
５２ａ  袋領域
５２ｃ  赤放出領域
５２ｄ  黄放出領域
５２ｅ  青放出領域
５２ｆ  赤黄放出領域
５２ｇ  赤青放出領域
５２ｈ  黄青放出領域
５２ｉ  ３色放出領域
５３  第３領域
５４  第４領域
５５  第５領域
５６  第６領域
５７  第７領域
５８  第８領域
５９  第９領域
６０  第１０領域
６０ａ  織物
６１  第１層
６２  第２層
６３  第３層
６４  第４層
６５  障害物
６６  補強部
１００、２００、３００、４００、５００、６００，７００  織物
【図１】
2019108648.tif 000003
【図２】
2019108648.tif 000004
【図３】
2019108648.tif 000005
【図４】
2019108648.tif 000006
【図５】
2019108648.tif 000007
【図６】
2019108648.tif 000008
【図７】
2019108648.tif 000009
【図８】
2019108648.tif 000010
【図９】
2019108648.tif 000011
【図１０】
2019108648.tif 000012
【図１１】
2019108648.tif 000013
【図１２】
2019108648.tif 000014
【図１３】
2019108648.tif 000015